(57)【要約】【課題】回転運動によって容器に収容された粉末を外部に分配する回転式粉末供給手段を備え、使用者が容器の内部に収容された粉末の排出量を目で確認しながら排出量を易しく調節するように設計された排出量調節が容易な粉末用容器を提供する。【解決手段】粉末を収容するハウジング；前記ハウジングにヒンジ結合され、ハウジングの開口を開閉させるカバー；前記ハウジングの内部に備えられ、粉末が排出される排出孔を有する排出板；前記ハウジングの内部に備えられ、回転運動によってハウジングに収容された粉末を前記排出板の排出孔に供給する回転式粉末供給手段；及び前記粉末供給手段の回転を案内する回転案内手段を含んでなる粉末用容器。【選択図】  図２
2010253244.tif 000002
【特許請求の範囲】
【請求項１】
粉末を収容するハウジング；
前記ハウジングにヒンジ結合され、ハウジングの開口を開閉させるカバー；
前記ハウジングの内部に備えられ、粉末が排出される排出孔を有する排出板；
前記ハウジングの内部に備えられ、回転運動によってハウジングに収容された粉末を前記排出板の排出孔に供給する回転式粉末供給手段；及び
前記粉末供給手段の回転を案内する回転案内手段を含んでなり、
前記回転式粉末供給手段は、前記回転案内手段と結合される回転軸と、前記回転軸に連結され、回転軸を中心に放射状に配列された粉末供給部とからなることを特徴とする、排出量調節が容易な粉末用容器。
【請求項２】
前記粉末供給部は、
前記ハウジングに収容された粉末を積載して前記排出孔に供給するヘッド部と、
前記ヘッド部を前記回転軸に連結する連結部とからなり、
前記ヘッド部は、容易な粉末供給のために、ななめに形成されたことを特徴とする、請求項１に記載の排出量調節が容易な粉末用容器。
【請求項３】
前記カバーの底面には、前記排出板の排出孔を閉鎖させるための栓部がさらに備えられていることを特徴とする、請求項１または２に記載の排出量調節が容易な粉末用容器。
【発明の詳細な説明】
【技術分野】
【０００１】
本発明はパウダー化粧品または粉末調味料などの粉末状の内容物を保管するための粉末用容器に係り、より詳しくは、容器に収容された粉末を回転運動により外部に排出する回転式粉末供給手段を備え、使用者が容器の内部に収容された粉末の排出量を目で確認しながら排出量を易しく調節するように設計された排出量調節が容易な粉末用容器に関する。
【背景技術】
【０００２】
女性たちが使用する化粧品としては、ローションなどのような液状化粧品、スポンジなどにより使用する固形化粧品、及び少しずつ振り撤いて使用するパウダー型化粧品に区分することができる。この中で、パウダー型化粧品の基本的な構造は、パウダーが収容された容器にパウダーを排出するための微細通孔が多数形成された中間板を位置させ、前記中間板上には、通孔を通じて排出されたパウダーを、使用者の皮膚に塗布してつけるためのパフが位置する構造を持つことができる。このような化粧品は、通常、使用者がパフで微細通孔（排出孔）を塞いだ状態で容器を逆にし、容器の底面部を打撃することによって、パウダーをパフ側に排出して使用するようにした構造である。
【０００３】
しかし、前記構造の化粧品は、構造の面では一番簡単であるという利点があるが、排出されるパウダーの量を容器の底面をたたく強度と回数により調節するので、使用者が任意に調節することができないという使用上の限界がある製品である。また、カバーを開ければ、容器の打撃によって圧力を受けたパウダーが噴出されて周辺を汚すという問題点を持っている。
【０００４】
したがって、このような問題点を解決するために、単に容器を打撃してパウダーを排出する方式から脱して、いわゆるポンプ方式で、パウダーを排出孔を通じて排出させる方式が開示されている。すなわち、特許文献１の「化粧品を収容する化粧品容器」、特許文献２の「化粧品容器のパウダー排出構造」、特許文献３の「パウダー型ポンプ構造」、及び特許文献４の「パウダー排出量の調節が可能なパウダー容器」がそれである。
【０００５】
前述したような従来技術はポンプ方式を用いて、容器に収容されたパウダーを外部に排出しようとする構造のもので、容器の底面部を単純に打撃してパウダーを排出する基本的な構造の容器に比べ、使用が簡便になり、排出されるパウダーの量を精巧ではないが使用者が任意に調節することができる長所を持つ構造のものである。
【０００６】
しかし、本発明が提示しようとする方式の構造に比べると、前記技術のポンプ方式は、パウダーの排出量を使用者が所望の程度に精巧に調節するのには限界があり、そのうえパウダーの飛散現象を防止するために、使用者は容器にふたをした状態でポンピングしてパウダーを排出させなければならないという限界があり、さらにふたをした状態でポンピングさせなければならない構造であるため、排出量がいくらになるのかを使用者が目で確認しながらパウダーを排出することができないという問題点を有する技術である。
【０００７】
パウダー型化粧品の他に、粉末型内容物を保管するための容器の先行技術の例としては、特許文献５の「粉末供給装置」が挙げられる。この特許文献５に開示の装置は、粉ミルク、唐辛子粉、砂糖、塩などの粉末を分配する装置であって、粉末貯蔵容器に結合されたハウジング内に流量調節用の球形ボールが挿入され、一定の幅の空間部と閉塞部が成形され、ハウジングの外部一側に球形ボールが段階別に回転するようにヒンジシャフトに固定された回転つまみの回転によって必要量だけ供給することで、不足量を少しずつ調節可能にしたことを特徴とする。
【０００８】
このような粉末供給装置は、回転方式を用いて粉末の排出量を調節するという概念が本発明に似ている面があるが、その具体的な構造及びそれによる効果においては本発明と全く異なる技術である。
【先行技術文献】
【特許文献】
【０００９】
【特許文献１】大韓民国登録特許第１０−６４７４５５号公報
【特許文献２】大韓民国登録実用新案第２０−０４２４７９１号公報
【特許文献３】大韓民国登録実用新案第２０−０４３０５７３号公報
【特許文献４】大韓民国登録実用新案第２０−０４０２６０８号公報
【特許文献５】大韓民国登録実用新案第２０−０２３５１９９号公報
【発明の概要】
【発明が解決しようとする課題】
【００１０】
したがって、本発明は前記のような従来技術の限界を克服するためになされたもので、既存の化粧品容器のポンプ構造から脱し、回転運動によって粉末を排出するようにすることで、排出量の調節が容易になり、排出作業が精巧になされる粉末用容器を提供することをその目的とする。
【００１１】
また、本発明は、打撃構造またはポンプ構造ではないので、外部に粉末を排出するとき、望まない方向に粉末が噴出されて周辺を汚すことになる問題点を解決することができる粉末用容器を提供することを他の目的とする。
【００１２】
また、本発明は、粉末の排出に際して、容器を覆さないで使用者が目で直接排出量を確認しながら所望の量だけ排出させることができる粉末用容器を提供することをさらに他の目的とする。
【課題を解決するための手段】
【００１３】
前記の課題を解決するために、本発明の排出作業が容易な粉末用容器は、粉末を収容するハウジング；前記ハウジングにヒンジ結合され、ハウジングの開口部を開閉させるカバー；前記ハウジングの内部に備えられ、粉末が排出される排出孔を有する排出板；前記ハウジングの内部に備えられ、回転運動によってハウジングに収容された粉末を前記排出板の排出孔に供給する回転式粉末供給手段；及び前記粉末供給手段の回転を案内する回転案内手段を含んでなる。
【００１４】
本発明の粉末用容器内に含まれる回転式粉末供給手段は、前記回転案内手段と結合される回転軸と、前記回転軸に連結され、回転軸を中心に放射状に配列された粉末供給部とからなる。
【００１５】
前記粉末供給部は、前記ハウジングに収容された粉末を積載して前記排出孔に供給するヘッド部と、前記ヘッド部を前記回転軸に連結する連結部とからなり、前記ヘッド部は、容易な粉末供給のために、図２等に示すように容器の底面に対してななめに形成される。
【発明の効果】
【００１６】
本発明によれば、使用者が回転案内手段を回せば、これに連結された回転式粉末供給手段が回転しながら容器内の粉末を外部に排出させることができる。また、本発明の粉末用容器は、容器を覆すか、あるいは容器内に収容されたポンプ構造に打撃を与えることで排出させるものではないので、粉末排出の際に容器を覆して使用する必要がない。
【００１７】
したがって、使用者は目で直接排出量を確認しながら所望の量だけ排出させることができるとの効果を持つ。さらに、粉末排出の際、粉末が望まれていない瞬間に噴出されて周辺を汚す問題点も解決することができる。究極には、粉末の排出量調節がより精巧にかつ容易になり、使用上便宜性が向上された粉末用容器を得ることになる。
【図面の簡単な説明】
【００１８】
【図１】本発明の排出作業が容易な粉末用容器の使用状態を示す斜視図である。
【図２】本発明の排出作業が容易な粉末用容器の各部分に対する分解斜視図である。
【図３】本発明の排出作業が容易な粉末用容器の断面図である。
【図４】本発明の排出作業が容易な粉末用容器の作動図である。
【発明を実施するための形態】
【００１９】
以下添付図面に基づいて本発明の構造を具体的に説明する。なお、説明の便宜上、本発明の粉末用容器を、パウダーを収容した化粧品容器（パウダー化粧品容器）に限定して説明するが、このようなパウダー化粧品容器だけに本発明が適用されるのではなく、本発明は粉末状の物体を収容する容器に包括的に適用可能であることはいうまでもない。また、以下に言及するパウダーとは粉末と同じ意味として使用される用語である。
【００２０】
図１及び図２に示すように、本発明の粉末用容器、つまりパウダー化粧品容器は、パウダーを収容するハウジング１０に、ハウジングの開口部を開閉させるカバー２０がヒンジ結合されて外形を成し、前記ハウジング１０の内部にはパウダーが排出される排出孔３０ａを有する排出板３０と、回転運動によってパウダーを前記排出板の排出孔３０ａに供給する回転式粉末供給手段４０とが備えられている。前記ハウジング１０の底面には、前記回転式粉末供給手段４０と結合され、その回転を案内する回転案内手段５０が備えられている。
【００２１】
より具体的には、前記排出板３０は、ハウジングの内面に形成された内側段１０ａにかかるように置かれるもので、底面と側面からなる。つまり高さが低い容器状に形成され、前記ハウジングの内側段にかかるように置かれる構造なので、使用者が手で易しく引き出したり入れ込んだりすることができる。
【００２２】
また、前記排出板３０にはパウダーが排出される排出孔３０ａが形成され、前記排出孔３０ａは排出板３０の底面側に突設されることが好ましい。すなわち、前記排出孔３０ａは排出板３０に突設されないで単純な通孔状にも形成可能であり、排出板の上面に突設されることも可能であるが、好ましい構造は排出板３０の底面に突設されるものである。これについては後述するが、回転式粉末供給手段４０によってすくい上げられたパウダーが前記排出孔３０ａに容易に供給されるようにするためであるだけではなく、使用後にハウジング１０とカバー２０が結合するとき、排出板３０にパフを収容することができる空間を提供するためでもある。
【００２３】
さらに、排出板３０の上面にパフを配置させないで使用する場合、あるいは前記排出孔３０ａが形成された部分を除いた部分にパフを配置させる場合には、パウダー化粧品容器の使用後、前記排出孔３０ａを通じてパウダーがたびたび排出される問題点を防止するために、本発明のカバー２０の底面には前記排出孔３０ａを閉鎖させることができる栓部２５をさらに備えることが好ましい。
【００２４】
この場合、前記排出孔３０ａが排出板３０の上面に突設されず底面に突設されると、排出孔３０ａに対する栓部２５の挿入ないし遮断、つまり閉鎖作業をより正確で容易になすことができる。従って、本発明の排出孔３０ａは排出板３０の底面に突設されることが最も好ましい。
【００２５】
つぎに、本発明の核心と言える回転式粉末供給手段４０と、これと連結されて回転式粉末供給手段を回転させる回転案内手段５０とを中心に説明する。
【００２６】
図２及び図３に示すように、回転式粉末供給手段４０は、回転軸４１と、前記回転軸４１を中心に放射状に配列された粉末供給部４２とからなる。また、前記粉末供給部４２は、ハウジングに収容されたパウダーを積載して排出孔３０ａに供給するヘッド部４２ａと、前記ヘッド部４２ａを回転軸に連結する連結部４２ｂとからなる。
【００２７】
また、前記回転軸４１は回転案内手段５０と締結されるので、使用者が回転案内手段５０を回転させると、これと締結された回転軸４１が回転され、これとともに回転されるヘッド部４２ａにパウダーが積載され、積載されたパウダーは排出孔３０ａを通じて排出板３０に供給される。
【００２８】
前記ヘッド部４２ａはパウダーを積載することができる程度の面積を持つように形成されることが好ましい。図２及び図３は本発明のヘッド部を四角形に構成したものを示す。特に、図面に示すように、四角形状のヘッド部は容器の底面に平行に形成されるものではなく、ななめに形成されることが好ましい。これは、回転運動しながらパウダーをより容易に積載することができ、積載されたパウダーを前記排出孔に容易に入れて排出させることができるからである。また、図面には図示しないが、前記ヘッド部４２ａはパウダーを容易に積載するように下側に陥没した形態が好ましい。
【００２９】
つぎに、回転軸４１と回転案内手段５０の締結は雄雌結合の締まりばめでなり、このような雄雌結合の締まりばめの具体的な方式は多様に変更可能である。その一実施例として提示する構造を図２及び図３を参照して説明すれば、連結部４２ｂが連結された側の反対側の回転軸４１の内部が空いている構造であり、内周面に締結突起４１ａが形成され、前記締結突起４１ａが回転案内手段５０と結合される。
【００３０】
一方、回転案内手段５０は、前記締結突起４１ａが挿合される締結凹部５１ａが形成された締結軸５１と、前記締結軸５１と連結され、ハウジング１０の底面に配置されるベース部５２とからなる。
【００３１】
すなわち、回転式粉末供給手段４０と回転案内手段５０を結合させるにあたり、使用者は、前記回転式粉末供給手段４０の回転軸４１の下部内周面に形成された締結突起４１ａを回転案内手段５０の締結軸５１に形成された締結凹部５１ａに締まりばめ方式で挿入することにより結合することができる。この方式で結合させると、回転式粉末供給手段４０は、回転案内手段５０と一体になるため、回転案内手段５０が回転すれば空回転なしに一緒に回転することになる。
【００３２】
本実施例では、図２及び図３のように、回転軸と回転案内手段の締結方式を特定の構造に限定して説明したが、このような雄雌結合の締まりばめ方式はさまざまな方式に変形できるのはいうまでもない。
【００３３】
ついで、ハウジング１０とヒンジ結合されているカバー２０の底面には、前述したように、使用後にハウジング１０とカバー２０が結合するとき、排出孔３０ａを閉鎖させることができる栓部２５が備えられている。前記排出孔３０ａに対する栓部２５の閉鎖方式は、排出孔に挿入される方式もしくは排出孔を単に遮る方式のいずれの方式でも構わない。ただ、排出孔に挿入されて排出孔を塞ぐ方式を取る場合には、前記排出孔３０ａは排出板３０の底面に突設されることがより好ましいという点については前述したとおりである。
【００３４】
したがって、パウダーの使用が必要な場合には、カバーを閉めたままで化粧品容器を逆に覆して容器の底面を打撃するかあるいはポンピング方式でパウダーを排出させるものではなく、図１及び図４に示すように、カバー２０を開けてハウジングの下側の回転案内手段５０を回転すれば、回転式粉末供給手段４０が回転するにつれてヘッド部４２ａにパウダーが積載され、積載されたパウダーは回転式粉末供給手段４０の回転中に排出孔３０ａを通じて排出板３０に排出される。
【００３５】
特に、前記過程は、カバー２０を開けて使用者が直接目でパウダーの排出量を確認しながら行うので、使用者はより精巧で容易に所望量のパウダーのみを使用することができることになる。
【００３６】
以上、本発明を、添付図面を参照しながら特定の形状及び構造を持つ粉末用容器について説明したが、本発明は当業者によって多様な変形及び変更が可能であり、このような変形及び変更は本発明の保護範囲に属するものと解釈されなければならない。
【産業上の利用可能性】
【００３７】
本発明は、パウダー化粧品または粉末調味料などの粉末状の内容物を保管するための粉末用容器に適用可能である。
【符号の説明】
【００３８】
１０    ハウジング
２０    カバー
２５    栓部
３０    排出板
３０ａ    排出孔
４０    回転式粉末供給手段
４１    回転軸
４２    粉末供給部
４２ａ    ヘッド部
４２ｂ    連結部
５０    回転案内手段
５１    締結軸
５２    ベース部
【図１】
2010253244.tif 000003
【図２】
2010253244.tif 000004
【図３】
2010253244.tif 000005
【図４】
2010253244.tif 000006